(57)【要約】【課題】  より利便性のある操作対象コンテンツ関連の表示をすることができる技術を提供する。【解決手段】  記憶媒体に記憶された録画コンテンツを、表示部に一覧表示させる録画コンテンツ一覧表示手段と、前記一覧表示された録画コンテンツから、ユーザによる選択指示に応じて録画コンテンツを選択するコンテンツ選択手段と、前記録画コンテンツの削除候補となったコンテンツを特定できる情報および削除される条件に関する情報を記録する録画コンテンツ管理手段とを備え、前記録画コンテンツ一覧表示手段は前記コンテンツを特定できる情報または前記削除される条件に関する情報を表示する情報処理装置。【選択図】  図１
2014003503.tif 000002
【特許請求の範囲】
【請求項１】
記憶媒体に記憶された録画コンテンツを、表示部に一覧表示させる録画コンテンツ一覧表示手段と、
前記一覧表示された録画コンテンツから、ユーザによる選択指示に応じて録画コンテンツを選択するコンテンツ選択手段と、
前記録画コンテンツの削除候補となったコンテンツを特定できる情報および削除される条件に関する情報を記録する録画コンテンツ管理手段とを備え、
前記録画コンテンツ一覧表示手段は前記コンテンツを特定できる情報または前記削除される条件に関する情報を表示する情報処理装置。
【請求項２】
前記録画コンテンツ一覧表示手段は、前記削除候補となったコンテンツの存在を表示する請求項１に記載の情報処理装置。
【請求項３】
前記録画コンテンツ一覧表示手段は、前記削除候補となったコンテンツの前記削除される条件に関する情報を表示する請求項１に記載の情報処理装置。
【請求項４】
前記録画コンテンツ管理手段は、削除されたコンテンツの関連情報を保持する請求項１に記載の情報処理装置。
【請求項５】
前記録画コンテンツ一覧表示手段は、前記関連情報を表示する請求項４に記載の情報処理装置。
【請求項６】
前記録画コンテンツ管理手段は、前記関連情報を削除する請求項４に記載の情報処理装置。
【請求項７】
更に検索手段を備え、この検索手段は前記コンテンツ選択手段で選択されたコンテンツの前記関連情報に基づいて、ネットワーク上でこのコンテンツに関する情報の検索を行い、
この検索の結果を表示部に表示させる請求項４に記載の情報処理装置。
【請求項８】
記憶媒体に記憶された録画コンテンツを、表示部に一覧表示させる表示工程と、
前記一覧表示された録画コンテンツから、ユーザによる選択指示に応じて録画コンテンツを選択する選択工程と、
前記録画コンテンツの削除候補となったコンテンツを特定できる情報および削除される条件に関する情報を記録する記録工程と、
を含む情報処理方法。
【発明の詳細な説明】
【技術分野】
【０００１】
本発明の実施形態は、自動削除予定の番組表示方法に係わる情報処理装置及び情報処理方法に関する。
【背景技術】
【０００２】
近年、ハードディスクにデジタル放送の番組を録画するテレビが流通している。ハードディスクは増設できるようになっているが、個々のハードディスクの録画容量には限界がある。そして、この有限なハードディスクの容量を有効に使用するために、決められたルールに従って自動で録画済み番組(以下、コンテンツと称す)を削除し、ハードディスクの容量を確保する仕組みがあるが、自動で削除する場合、ユーザが削除を望まないコンテンツを削除してしまう可能性がある。このため、特許文献１には、自動削除するコンテンツを決定するにあたり、録画予約とコンテンツとの優先度を比較し、録画予約の方を優先させるよう判断した場合にコンテンツを削除するようにしている。また、削除時にユーザに選択させるようにしている。
【０００３】
また、特許文献２には、自動もしくは手動で削除したコンテンツの番組などの情報を保持しておき、後に該番組が再放送をされることになった場合に、ユーザに録画予約を促すようにしている。
【０００４】
しかしながら、特許文献１に記載の録画装置および録画予約設定プログラムは、ユーザの知らないうちにコンテンツの削除動作が行われないようになってはいるものの、削除する直前になって初めてユーザに示されるので、ユーザがまだ視聴していないコンテンツを削除するコンテンツとして選ばざるを得ない状況になってしまうことに関しては解決されていない。
【０００５】
また、特許文献２に記載の記録装置及びその制御方法は、未視聴のコンテンツがユーザの意図に反して削除されてしまった場合に、再度録画予約のチャンスを提供するようになってはいるものの、削除されてしまったものの今後録画予約の意思がユーザにない場合でも、自動で番組を録画する動作を行ってしまうので、ハードディスクの容量を圧迫してしまう懸念がある。また、ユーザがもう録画する意思がない場合においても録画予約を促す表示を行うことは、ユーザの利便性を低下させてしまう懸念がある。それに、再放送を待たなくてはならないので、即時性といった面でもユーザの利便性を低下させてしまう懸念がある。
【０００６】
以上、より利便性のある操作対象コンテンツ関連の表示への要望があるが、かかる要望を実現するための手段は知られていない。
【先行技術文献】
【特許文献】
【０００７】
【特許文献１】特開２００７−３７０００号公報
【特許文献２】特開２０１０−２４５６４６号公報
【発明の概要】
【発明が解決しようとする課題】
【０００８】
本発明の実施の形態は、より利便性のある操作対象コンテンツ関連の表示をすることができる技術を提供することを目的とする。
【課題を解決するための手段】
【０００９】
上記課題を解決するために、実施形態によれば情報処理装置は、記憶媒体に記憶された録画コンテンツを、表示部に一覧表示させる録画コンテンツ一覧表示手段と、前記一覧表示された録画コンテンツから、ユーザによる選択指示に応じて録画コンテンツを選択するコンテンツ選択手段と、前記録画コンテンツの削除候補となったコンテンツを特定できる情報および削除される条件に関する情報を記録する録画コンテンツ管理手段とを備え、前記録画コンテンツ一覧表示手段は前記コンテンツを特定できる情報または前記削除される条件に関する情報を表示する。
【図面の簡単な説明】
【００１０】
【図１】一実施形態の自動削除の対象となる番組をユーザに警告する表示を示す図(その1)。
【図２】同実施形態の自動削除の対象となる番組をユーザに警告する表示を示す図(その2)。
【図３】同実施形態の自動削除の対象となる番組を選択した場合に削除条件を表示する図(その1)。
【図４】同実施形態の自動削除の対象となる番組を選択した場合に削除条件を表示する図(その2)。
【図５】同実施形態に用いられる自動削除予定の番組の表示を示す図。
【図６】同実施形態の自動削除された番組を表示する図。
【図７】同他の形態に用いられる自動削除された番組のインターネット検索を行う図。
【図８】同実施形態に用いられる自動削除候補の決定を行うフロー図。
【図９】同実施形態に用いられる自動削除候補の決定を行うフロー図（その２）。
【図１０】同実施形態に用いられる自動削除候補の決定を行うフロー図（その３）。
【図１１】同実施形態に用いられる構成削除条件を表示するフロー図。
【図１２】実施形態にかかる情報記録再生装置（番組再生装置）の概略構成を示すブロック図。
【発明を実施するための形態】
【００１１】
以下、実施形態を図１乃至図１２を参照して説明する。
【００１２】
まず先に図１２は、情報処理装置の実施形態にかかる記録再生装置（番組再生装置）の概略構成を示すブロック図である。図１２の記録再生装置は、マイクロコンピュータブロック３０、エンコーダ部５０、デコーダ部６０を備えている。
【００１３】
マイクロコンピュータブロック３０は、図示しないＭＰＵ（マイクロプロセッシングユニット）、またはＣＰＵ（セントラルプロセッシングユニット）を有し、記録再生装置の各ブロックの動作を制御する。マイクロコンピュータブロック３０は、制御プログラム等が書きこまれたＲＯＭ、プログラム実行に必要なワークエリアを提供するためのＲＡＭ等を備えている。
【００１４】
マイクロコンピュータブロック３０は、再生制御部３１１、記録制御部３１２、予約録画制御部３１３を有する。再生制御部３１１は、受信した放送番組データや記憶媒体に記憶された番組データの再生処理を制御する。記録制御部３１２は、番組データの記憶媒体への記録処理を制御する。予約録画制御部３１３は、番組の予約録画処理の制御を行う。また、マイクロコンピュータブロック３０は、後述する番組情報管理部３２１、録画番組情報管理部３２２、録画番組リスト表示制御部３２３、コンテンツ関連検出部３２４、操作支援画面生成部３２５、操作支援画面表示制御部３２６も備えている。このマイクロコンピュータブロック３０は、ネットワークインターフェース３０ａを介して外部ネットワーク２００に接続し、外部のサーバ２１０と情報のやり取りを行うことができる。
【００１５】
マイクロコンピュータブロック３０には、この記録再生装置を操作するための操作信号が、キー操作入力部４４から入力される。このキー操作入力部４４は、例えば記録再生装置の本体上に設けた操作スイッチ類、あるいはリモートコントローラ等である。有線通信、無線通信、光通信あるいは赤外線通信等によってこの記録再生装置に接続されるパーソナルコンピュータが、キー操作入力部４４として採用されてもよい。キー操作入力部４４は、決定キー、停止キー、終了キー、カーソルキーなど各種の操作キーを備えている。ユーザはこのキー操作入力部４４を操作して、受信もしくは入力された映像信号や音声信号の記録処理、記憶媒体に記憶されたコンテンツの再生処理、あるいは記憶媒体に記憶されたコンテンツに対する編集処理等の実行を指示することができる。
【００１６】
マイクロコンピュータブロック３０のＭＰＵ（またはＣＰＵ）の実行結果のうち、ユーザに通知すべき内容は、表示部４３に表示されるか、またはモニターディスプレイ３００１にＯＳＤ（オンスクリーンディスプレイ）表示される。
【００１７】
図１２に示す記録再生装置は、記憶媒体（情報記憶媒体）としてＤＶＤ−ＲＡＭ、ＤＶＤ±ＲＷ、ＤＶＤ±Ｒ、ＤＶＤ−ＲＯＭ（ＤＶＤビデオ）、ＣＤ−ＲＷ、ＣＤ−Ｒ、ＣＤ−ＲＯＭ（音楽ＣＤ）などの光ディスクとハードディスクの双方を取り扱うことができる。これらのハードディスクや光ディスクは、半導体メモリ等の他の記憶媒体と置換（あるいは併用）されてもよい。
【００１８】
この記録再生装置は、光ディスクドライブ部１００２と、ハードディスクドライブ部２００１の２種類のディスクドライブ部を有する。光ディスクドライブ部１００２は、光ディスク１００１に対する回転制御系、レーザ駆動系、光学系などを有し、光ディスク１００１を回転駆動して情報の読み書きを行う。またハードディスクドライブ部２００１は、ハードディスクを駆動し、情報の読み書きを実行する。
【００１９】
データプロセッサ部１００３は、バッファ回路、変調・復調回路、エラー訂正部等を備えており、所定の記録単位または再生単位のデータを取り扱う。データプロセッサ部１００３は、光ディスクドライブ部１００２及びハードディスクドライブ部２００１に記録データを供給する。また、データプロセッサ部１００３は、光ディスクドライブ部１００２及びハードディスクドライブ部２００１により読み出された再生データを受け取る。
【００２０】
データプロセッサ部１００３は、記憶媒体に記憶されている番組データを構成するビデオオブジェクトの一部を削除したり、異なる複数の番組のビデオオブジェクトをつなげたり、といった編集処理を、マイクロコンピュータブロック３０の指示に応じて行うこともできる。
【００２１】
エンコーダ部５０には、ＡＶ入力部４１ａからの外部アナログビデオ信号と外部アナログオーディオ信号、または地上波アナログチューナ４１ｂ、地上波デジタルチューナ４１ｃ、衛星デジタルチューナ４１ｄあるいは衛星アナログチューナ４１ｅからの放送受信信号（１つまたは複数）が選択的に入力する。スイッチ（信号セレクタ）５３は、マイクロコンピュータブロック３０の制御に従って、エンコーダ部５０に入力する信号系統を切り換える。
【００２２】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００２３】
また、エンコーダ部５０は、トランスポートストリーム処理部及び複数のＭＰＥＧエンコーダを含む。エンコーダ部５０に含まれるＭＰＥＧビデオエンコーダは、入力されるデジタルビデオ信号を、ＭＰＥＧ２またはＭＰＥＧ１規格に基づいた可変ビットレートで圧縮し、ハードディスクまたは光ディスクに記録可能なデジタルビデオ信号へ変換する。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２４】
エンコーダ部５０に、副映像信号がＡＶ入力部４１ａから入力した場合（例えば副映像信号の独立出力端子付ＤＶＤビデオプレーヤからの信号入力など）、あるいは副映像信号が含まれたＤＶＤビデオ信号が、地上波アナログチューナ４１ｂ、地上波デジタルチューナ４１ｃ、衛星デジタルチューナ４１ｄまたは衛星アナログチューナ４１ｅを介してエンコーダ部５０に入力された場合は、エンコーダ部５０に入力した副映像信号は副映像エンコーダでエンコード（ＤＶＤ規格に基づくランレングス符号化）されて副映像のビットマップデータとなる。
【００２５】
フォーマッタ５１は、バッファメモリ５２をワークメモリとして、エンコードされたデジタルビデオ信号、デジタルオーディオ信号、副映像データを所定のフォーマットに変換する。すなわち、フォーマッタ５１は、エンコードされたデジタルビデオ信号、デジタルオーディオ信号、副映像データをパック化して、ビデオパック、オーディオパック、副映像パックとし、さらにこれらを集合して、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換する。ただしデジタル放送のトランスポートストリーム（ＭＰＥＧ２−ＴＳ）をストリーム記録する場合には、フォーマット変換は必要ない。
【００２６】
なお、圧縮された（エンコード済みの）デジタルビデオ信号やデジタルオーディオ信号が、エンコーダ部５０に直接入力される場合は、エンコード処理を行わずに、入力信号を直接フォーマッタ５１に供給することもできる。また、エンコーダ部５０は、デジタル変換されたデジタルビデオ信号やデジタルオーディオ信号を、ビデオミキシング部７１やオーディオセレクタ７６に直接供給することもできる。
【００２７】
フォーマッタ５１によってフォーマット変換された情報（ビデオ、オーディオ、副映像データなどのパック）は、データプロセッサ部１００３を介してハードディスクドライブ部２００１および／または光ディスクドライブ部１００２に供給され、ハードディスクや光ディスク１００１等の記憶媒体に記録される。また、ハードディスクあるいは光ディスク１００１に記録された情報を、データプロセッサ部１００３、光ディスクドライブ部１００２を介して、光ディスク１００１あるいはハードディスクに記録することもできる。
【００２８】
記憶媒体に情報を記録する場合、フォーマッタ５１は、切り分け情報を作成して定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などが含まれる。
【００２９】
また、記憶媒体に情報を記録する際には、マイクロコンピュータブロック３０のＭＰＵは、当該記録される情報を再生するのに必要な管理情報を作成する。ＭＰＵは、記録終了のコマンドを認識すると、作成した管理情報をデータプロセッサ部１００３に送る。これにより、管理情報が記憶媒体に記録される。
【００３０】
記憶媒体に記憶された録画番組を途切れることなく再生するために、データプロセッサ部１００３がアクセス（シーク）する録画番組データの最低限連続する情報単位（サイズ）が予め決められている。この情報単位の記憶エリアをＣＤＡ（コンティギュアス・データ・エリア）という。ＣＤＡサイズは、ＥＣＣ（エラー訂正コード）ブロック（１６セクタ）の倍数であり、データの記憶はこのＣＤＡ単位で行われる。データプロセッサ部１００３は、エンコーダ部５０からＶＯＢＵ単位のデータを受け取り、ＣＤＡ単位のデータを光ディスクドライブ部１００２あるいはハードディスクドライブ部２００１に供給する。
【００３１】
エンコーダ部５０が、例えば２つのＭＰＥＧエンコーダを含む場合、エンコーダ部５０は２系統の信号をエンコード処理することが可能である。例えば、地上波アナログチューナ４１ｂで受信した番組をハードディスクドライブ部２００１でＤＶＤ−ＶＲ録画し、同時に、衛星アナログチューナ４１ｅで受信した番組を光ディスク１００１でＤＶＤ−ＶＲ録画するといった処理を行うことができる。
【００３２】
また、トランスポートストリームから抽出したパケットエレメンタリーストリームがエンコーダ部５０から直接ハードディスクドライブ部２００１のハードディスクに記録される場合もある。エンコーダ部５０が１つのＭＰＥＧエンコーダしか持たない場合でも、地上波デジタルチューナ４１ｃまたは衛星デジタルチューナ４１ｄを介してエンコーダ部５０に入力された番組データ（ＭＰＥＧ２−ＴＳ）をハードディスクドライブ部２００１でストリーム記録し、同時に、他のチューナを介して入力される放送番組データを、この１つのＭＰＥＧエンコーダによってエンコード処理することも可能である。
【００３３】
デコーダ部６０は、図示しないセパレータ、ビデオデコーダ、副映像デコーダ、オーディオデコーダ、ビデオプロセッサを備えている。セパレータは、パック構造を持つＤＶＤフォーマットの信号から各パックを分離して取り出す。ビデオデコーダは、セパレータによって分離された主映像データ（ビデオパックの内容）のデコード処理を行う。副映像デコーダは、セパレータによって分離された副映像データ（副映像パックの内容）のデコードを行う。セパレータによって分離されたオーディオデータ（オーディオパックの内容）はオーディオデコーダによってデコードされる。ビデオプロセッサは、デコードされた主映像にデコードされた副映像を適宜合成し、主映像にメニュー、ハイライトボタン、字幕やその他の副映像を重ねて出力する。デコーダ部６０はさらに、パック分離やその他の信号処理実行時に使用されるメモリを有する。
【００３４】
デコーダ部６０から出力されるビデオ信号は、ビデオミキシング部７１に入力される。ビデオミキシング部７１は、例えばテキストデータの合成を行う。またビデオミキシング部７１には、ＡＶ入力部４１aや地上波アナログチューナ４１ｂ、地上波デジタルチューナ４１ｃ、衛星デジタルチューナ４１ｄ、衛星アナログチューナ４１ｅからの信号を直接取り込むラインもまた接続されている。ビデオミキシング部７１には、バッファとして用いるフレームメモリ７２が接続されている。ビデオミキシング部７１から出力されるビデオ信号は、Ｉ／Ｆ（インターフェース）７３を介して外部出力される。あるいは、ビデオミキシング部７１から出力されるビデオ信号は、デジタルアナログ変換器７４によってアナログ変換され、モニターディスプレイ３００１に出力される。
【００３５】
デコーダ部６０から出力されるオーディオ信号は、セレクタ７６を介してデジタルアナログ変換器７７に入力する。デジタルアナログ変換器７７は、デジタルオーディオ信号をアナログ変換し、外部（例えばスピーカ）に出力する。セレクタ７６は、マイクロコンピュータブロック３０からのセレクト信号により制御され、チューナ４１ｂ〜４１ｅやＡＶ入力部４１aからのデジタル信号を直接モニタする時、エンコーダ部５０をスルーした信号を直接選択することも可能である。
【００３６】
なお、マイクロコンピュータブロック３０は、ＳＴＣ（システムタイムクロック）３８からの時間データに基づいて、光ディスクドライブ部１００２、ハードディスクドライブ部２００１、データプロセッサ部１００３、エンコーダ部５０、デコーダ部６０などを制御する。録画や再生の動作は、通常はＳＴＣ３８からのタイムクロックに同期して実行されるが、それ以外の処理はＳＴＣ３８とは独立したタイミングで実行されてもよい。
【００３７】
マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子ガイド情報／電子番組ガイド（ＥＰＧ）サービスを利用して、電子番組表情報（放送番組だけでなく種々な情報サービスも含む）を取得することができる。また、ネットワーク２００を介して外部のサーバ２１０から電子番組案内情報（ＤＥＰＧ）を取り込むことも可能である。
【００３８】
取得された電子番組表情報は、番組情報管理部３２１によって管理される。番組情報管理部３２１は、マイクロコンピュータブロック３０が有するＲＯＭに、番組情報管理テーブルを設けて、電子番組表情報を管理する。例えば、放送番組ごとに「チャンネル」、「放送日」、「放送開始時刻」、「番組長」、「番組名」等のデータが記憶されている。また、ユーザが録画予約を行った番組には、「予約済み」属性が付与されている。番組情報管理部３２１は、毎日決まった時間、あるいは毎週決まった曜日の決まった時間に放送されるシリーズものの番組等、関連性のある番組については、「シリーズ名」等の関連性を示す情報も管理する。放送曜日や放送時間帯が異なっても、同じシリーズに属する番組には、同じシリーズ名が付されている。番組情報管理部３２１は通常、所定期間（例えば１週間）分の電子番組表情報を管理する。
【００３９】
ハードディスクや光ディスク等の記憶媒体に記録された録画済み番組（録画コンテンツ）の情報は、録画番組情報管理部３２２によって管理される。録画番組情報管理部３２２は、マイクロコンピュータブロック３０が有するＲＯＭに、図３に示すような録画済み番組情報テーブルを設けて、録画済み番組の情報を管理する。図３の例では、録画済み番組の「番組名」、「録画品質」、「録画長」、「チャンネル」、「放送日」、「放送開始時刻」、「視聴情報」、「シリーズ名」等のデータが記憶されている。
【００４０】
録画番組リスト表示制御部３２３は録画コンテンツ一覧表示手段として、記憶媒体に記憶された録画番組のリストを、ユーザの指示に応じてモニターディスプレイ３００１に表示させる。
【００４１】
録画番組リストに一覧表示された録画番組から一つの録画番組が選択されると、コンテンツ関連検出部３２４は、当該選択された録画番組に関連するコンテンツの情報を、選択録画番組のシリーズ名に基づいて、番組情報管理テーブル、及び録画済み番組情報テーブルから検出する。また検索手段として、ネットワークを介してサーバ２１０からもコンテンツ関連（番組コンテンツや音楽コンテンツ）の情報を取得する。
【００４２】
操作支援画面生成部３２５は、コンテンツ関連検出部３２４が検出したコンテンツ関連情報を用いて、ユーザが次に行う操作を提示するための操作支援画面データを生成する。
【００４３】
操作支援画面表示制御部３２６は、操作支援画面生成部３２５が生成したデータに基づいて操作支援画面をモニターディスプレイ３００１に表示させる。操作支援画面はコンテンツ選択手段として、選択された録画番組のコンテンツ関連に応じた操作を、ユーザに提示、推薦するものである。
【００４４】
次に、記録再生装置の本実施の形態による録画番組関連情報の表示処理及び、記憶媒体からの削除処理について説明する。さて図１は、一実施形態の自動削除の対象となる番組をユーザに警告する表示を示す図である。以下の図を含め、マイクロコンピュータブロック３０のうちでも特に録画番組リスト表示制御部３２３によって表示制御される。
【００４５】
図１の１ａは、録画予約が実行された場合やユーザのリモコン操作で録画動作が行われた場合など、未来の録画動作が行われた場合に、現在の記録媒体の残量から必要な記録媒体の量がどれくらい不足しているかを算出し、不足している場合にはコンテンツの中から、視聴済みかどうかや録画日時などの条件を基に判断し、削除するコンテンツを選定できた場合に、それを示す印で、その選定したコンテンツをリスト表示する際に併せて表示する。この表示によって、ユーザは該コンテンツがまもなく削除されることが判別できるので、優先的に視聴するように促すことができる。
【００４６】
図８乃至図１０に、この削除するコンテンツを選定するマイクロコンピュータブロック３０主体のフローを示す。後に説明する図１１を含め表記法は、UML（Unified Modeling Language）表記法を用いている。UMLは、オブジェクト指向のソフトウェア開発における、プログラム設計図の統一表記法とされている。オブジェクト指向設計の表記法として、OMG（Object Management Group）によってUMLが標準として認定された。
【００４７】
ステップＳ８１：  記録媒体の残量を算出し、別途保持しておく。
【００４８】
ステップＳ８２：  録画予約があるか確認する。
【００４９】
ステップＳ８３：  録画予約があると判定された場合には次のステップＳ８４に進み、録画予約がないと判定された場合にはステップＳ８５へ進む。
【００５０】
ステップＳ８４：  全ての録画予約に対して、順次、録画予約が実行された場合に必要な記録媒体の量を確保する（図９のｓｋ１ルーチン）。
【００５１】
ステップＳ８５：  次のステップＳ８６に進む。
【００５２】
ステップＳ８６：  当日に録画予約以外の録画が実行された場合で、番組1個分に必要な記録媒体の量を算出する。
【００５３】
ステップＳ８７：  別途保持した記録媒体の残量から録画に必要な記憶媒体の量を減じる。
【００５４】
ステップＳ８８：  録画に必要な記録媒体の量を管理する（図１０のｓｋ２ルーチン）。
【００５５】
（図９のｓｋ１ルーチン）
ステップＳ９１：  次のステップＳ９２に進む。
【００５６】
ステップＳ９２：  全録画予約の中から直近の録画予約が実行された場合に必要な記録媒体の量を算出する。
【００５７】
ステップＳ９３：  別途保持した記録媒体の残量から録画に必要な記憶媒体の量を減ずる。
【００５８】
ステップＳ９４：  録画に必要な記録媒体の量を管理する（図１０のｓｋ２ルーチン）。
【００５９】
ステップＳ９５：  以上が全ての録画予約に対して確認された場合には処理を終了し、確認されてない場合にはステップＳ９１に戻る。
【００６０】
（図１０のｓｋ２ルーチン）
ステップＳ１０１：  録画に必要な記録媒体の量を確保できると判定された場合にはステップＳ１０７に進み、録画に必要な記録媒体の量を確保できないと判定された場合には次のステップＳ１０２へ進む。
【００６１】
ステップＳ１０２：  足りない記録媒体の量を算出する。
【００６２】
ステップＳ１０３：  録画済み番組の中から、記録した日時、番組の総時間や視聴済みかどうかなどの情報を考慮し、自動削除候補を決定する。
【００６３】
ステップＳ１０４：  決定した番組に対して削除条件情報を付加する。
【００６４】
ステップＳ１０５：  別途保持した記録媒体の残量に決定した番組が使用している分の記録媒体の量を加える。
【００６５】
ステップＳ１０６：  記録媒体の必要量が確保できるまで自動削除候補を決定する。
【００６６】
ステップＳ１０７：  処理を終了する。
【００６７】
図３は、実施形態の自動削除の対象となる番組を選択した場合に削除条件を表示する図である。
【００６８】
図３は、１ａ同様の３ａに示す印が付くことで表現される削除候補となったコンテンツを、３ｂに示す通常色（白色等）のリストの色を黄色（便宜上一部を右上がりの斜線で表現している）に変えることで表現されるユーザがコンテンツを選択している状態において、該コンテンツがどのような録画動作によって削除されるかなど削除条件をリスト画面中に表示する(図３の３ｃ)。この表示によって、ユーザは該コンテンツがいつ削除されるかを知ることができ、知らないうちに削除されてしまっていたという状況を回避することができる。
【００６９】
図１１に図８以下で決定したコンテンツを選択した場合に削除条件を表示するマイクロコンピュータブロック３０主体のフローを示す。
【００７０】
ステップＳ１１１：  録画済み番組を選択していると判定された場合には次のステップＳ１１２に進み、録画済み番組を選択していないと判定された場合にはステップＳ１１５へ進む。
【００７１】
ステップＳ１１２：  自動削除候補に上がっている録画済み番組か確認する。
【００７２】
ステップＳ１１３：  自動削除候補に上がっている録画済み番組ではないと判定された場合にはステップＳ１１５に進み、自動削除候補に上がっている録画済み番組であると判定された場合には次のステップＳ１１４へ進む。
【００７３】
ステップＳ１１４：  削除予定の日時など削除条件を表示する。
【００７４】
ステップＳ１１５：  処理を終了する。
【００７５】
図６は、６ａに示す専用に設けたタブ(この例では「求む！情報」)を選択したときに、自動削除されたコンテンツのタイトルおよび録画日時の情報をリスト表示する表示形式である。削除されたコンテンツは通常色ではなくグレーアウトで表示されている。次の図７も同様である。この表示によって、ユーザは最終的に自動削除動作によって削除されてしまった番組が何であったかを知ることができる。
【００７６】
図７は、図６で示されるコンテンツの中から、ユーザが選択した場合に、タイトルや出演者などの情報をキーワードにして、ネットワーク上の情報から検索できるようにインターフェース画面を表示する。この表示によって、ユーザは未視聴のコンテンツなど、やむなく削除されてしまったコンテンツに関して、ネットワーク上にある情報、例えば、該コンテンツを見た人が書いた感想やあらすじなどの書き込み記事などを検索し、視聴しなかったことで知り得なかった情報に関して知ることができる。
【００７７】
図２は図１の削除候補を選定した結果を削除順序によってリストの色の変える表示形式である。図２の２aは、リストの色を前述のように黄色に変えて表示することで、ユーザがコンテンツを選択している状態を示す。２ｂは、ユーザがコンテンツを選択していない状態を示す。２ｃは前述の２ｂかつ自動削除によっていずれ削除されるコンテンツの候補として挙がっている状態で、かつ、コンテンツの録画日時などを考慮して削除順序をつけた上位から2番目のコンテンツであることを橙色（便宜上一部を右下がりの斜線で表現している）で示す。２ｄは前述の２ｃにおける削除順序が1番目であることを赤色で示す。削除動作は逐次行われるので最初に削除する番組を削除順序を1番目とし、他の削除順序と色を変える。
【００７８】
図４は図３の削除候補を選定した結果を削除順序によってリストの色の変える表示形式である。４ａは黄色で４ｂは赤色である。
【００７９】
図５は図１の削除候補を選定した結果を、候補になっていないコンテンツに混在して表示するのではなく、図５の５ａに示す専用に設けたタブ(この例では「削除予定番組」)を選択したときに、候補になったコンテンツのみを表示する表示形式である。
【００８０】
以上説明した実施例によれば、コンテンツが自動削除される条件を表示する手段によって、ユーザは該コンテンツがいつ削除されるかを知ることができるので、削除される前に該コンテンツを視聴するよう促すことができる。また、自動削除されたコンテンツのタイトルなどの情報をキーワードにしてネットワーク上の情報から検索できるようにする手段によって、ユーザは該コンテンツに関する情報を少しでも知るチャンスを得ることができる。
【００８１】
即ち、コンテンツが自動削除の候補にあがった時点で、その理由をユーザに提示するようにすることで、実際にコンテンツが削除されるタイミングよりも前に、削除の予兆を認識することができるので、未視聴のコンテンツなどを削除される前に視聴するようユーザに促すことができる。
【００８２】
また、削除されたコンテンツの情報一覧からユーザが選択したものに対して、ネットワーク上から情報を検索するので、ユーザのタイミングでコンテンツの情報を得ることができる。そして、どの番組が削除されてしまったのかを知ることができる。
【００８３】
（実施形態の補足）
（１）．自動削除候補となった番組の、番組名など番組を特定できる情報と削除される条件に関する情報を記録する手段を設ける。
【００８４】
（２）．上記（１）．で記録した情報がある旨、記録済み番組の一覧を表示する際に併せて表示する手段を設ける。
【００８５】
（３）．上記（２）．において、上記（１）．で記録した情報に該当する番組を選択した際に、上記（１）．情報を表示する手段を設ける。
【００８６】
（４）．自動削除した番組の削除日時、番組タイトルおよび録画日時を保持しておく手段を設ける。
【００８７】
（５）．上記（４）．で保持した情報を表示する手段を設ける。
【００８８】
（６）．上記（４）．で保持した情報を削除する手段を設ける。
【００８９】
（７）．上記（４）．で保持した情報からネットワーク上で番組に関する情報を検索し、結果を表示する手段を設ける。
【００９０】
なお、この発明は上記実施形態に限定されるものではなく、この外その要旨を逸脱しない範囲で種々変形して実施することができる。
【００９１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００９２】
１００１…光ディスク、１００２…光ディスクドライブ部、１００３…データプロセッサ部、２００１…ハードディスクドライブ部、３０…マイクロコンピュータブロック、４１ａ…ＡＶ入力部、４１ｂ…地上波アナログチューナ、４１ｃ…地上波デジタルチューナ、４１ｄ…衛星デジタルチューナ、４１ｅ…衛星アナログチューナ、５０…エンコーダ部、６０…デコーダ部、３１１…再生制御部、３１２…記録制御部、３１３…予約録画制御部、３２１…番組情報管理部、３２２…録画番組情報管理部、３２３…録画番組リスト表示制御部、３２４…コンテンツ関連検出部、３２５…操作支援画面生成部、３２６…操作支援画面表示制御部、３００１…モニターディスプレイ。
【図１】
2014003503.tif 000003
【図２】
2014003503.tif 000004
【図３】
2014003503.tif 000005
【図４】
2014003503.tif 000006
【図５】
2014003503.tif 000007
【図６】
2014003503.tif 000008
【図７】
2014003503.tif 000009
【図８】
2014003503.tif 000010
【図９】
2014003503.tif 000011
【図１０】
2014003503.tif 000012
【図１１】
2014003503.tif 000013
【図１２】
2014003503.tif 000014